(57)【要約】【課題】電柱に登らずに防犯灯器具のような電柱設置器具の交換ができる電柱設置器具昇降装置を提供すること。【解決手段】電柱のスライド用レールに載せる防犯灯器具のような電柱設置器具のスライドを可能にするレール１０と、レール１０をこれが上下方向に伸びるように電柱に固定する固定手段と、防犯灯器具のような電柱設置器具を取り替え可能に保持した状態で、レール１０に沿ってスライドするスライド部材２０と、防犯灯器具のような電柱設置器具の首振り機構と、スライド部材２０を吊下げる吊下ワイヤー１２と、吊下ワイヤー１２を巻き取る巻取ドラム１３と、防犯灯器具のような電柱設置器具を昇降させる吊下用ワイヤー１４と、吊下用ワイヤー１４を巻き取る吊下ワイヤー用巻取ドラム１５と、吊下ワイヤー用巻取ドラム１５を操作するハンドル１６と、を備える。【選択図】図１
2009043681.tif 000002
【特許請求の範囲】
【請求項１】
電柱のスライド用レールに載せる防犯灯器具のような電柱設置器具のスライドを可能にするレールと、
前記レールをこれが上下方向に伸びるように電柱に固定する固定手段と、
前記防犯灯器具のような電柱設置器具を取り替え可能に保持した状態で、前記レールに沿ってスライドするスライド部材と、
前記防犯灯器具のような電柱設置器具の首振り機構と、
前記スライド部材を吊下げる吊下ワイヤーと、
前記吊下ワイヤーを巻き取る巻取ドラムと、
前記防犯灯器具のような電柱設置器具を昇降させる吊下用ワイヤーと、
前記吊下用ワイヤーを巻き取る吊下ワイヤー用巻取ドラムと、
前記吊下ワイヤー用巻取ドラムを操作するハンドルと、を備えることを特徴とする電柱設置器具昇降装置。
【請求項２】
請求項１に記載の電柱設置器具昇降装置において、
前記レールは既存の電柱に取り付け可能な取付バンドを有することを特徴とする電柱設置器具昇降装置。
【請求項３】
請求項１に記載の電柱設置器具昇降装置において、
前記巻取ドラムは巻取機器としての機能を有することを特徴とする電柱設置器具昇降装置。
【請求項４】
請求項１に記載の電柱設置器具昇降装置において、
前記ハンドルは着脱機能を有することを特徴とする電柱設置器具昇降装置。
【請求項５】
電柱のスライド用レールに載せる防犯灯器具のような電柱設置器具のスライドを可能にする固定レールと、
前記固定レールをこれが上下方向に伸びるように電柱に固定する取付バンドと、
前記固定レールの下部に着脱可能に設置される着脱レールと、
前記防犯灯器具のような電柱設置器具を取り替え可能に保持した状態で、前記固定レール及び前記着脱レールに沿ってスライドするスライド部材と、
前記スライド部材を吊下げる吊下ワイヤーと、
前記防犯灯器具のような電柱設置器具の首振り機構と、
前記吊下ワイヤーを巻き取る巻取ドラムと、
前記防犯灯器具のような電柱設置器具を昇降させる吊下用ワイヤーと、
前記吊下用ワイヤーを巻き取る、吊下ワイヤー用巻取ドラムと、
前記吊下ワイヤー用巻取ドラムを操作するハンドルと、を備えることを特徴とする電柱設置器具昇降装置。
【発明の詳細な説明】
【技術分野】
【０００１】
本発明は、電柱に設置される防犯灯器具のような電柱設置器具を電柱に登らずに交換や清掃を可能とする電柱設置器具昇降装置に関する。
【背景技術】
【０００２】
従来、電柱の上部に設置されている防犯灯器具のような電柱設置器具の交換や清掃は、まず、人が電柱に登り、次に、防犯灯器具のような電柱設置器具の交換や清掃をする作業を行う必要がある。また、防犯灯器具のような電柱設置器具の交換や清掃を行う人は電気工事を行える有資格者であることが必要である。
【０００３】
なお、外灯等、小型の電柱に折り曲げ機構を設置し、外灯等、小型の電柱を折り曲げ、脚立や梯子に乗らなくても外灯の交換が可能な技術が考案されている。（特許文献１）しかし、本考案では、既設の電柱やコンクリート製電柱に折り曲げ機構を設置することは困難であり、本技術は既設の電柱やコンクリート製電柱に設置された防犯灯器具の交換には適用できない。
【０００４】
また、図８に示すような、ワンタッチ着脱型防犯灯取付具１００とワンタッチ着脱型防犯灯１１０及び図９に示すような、専用の着脱装置１２０を備え、壁や電柱などの高所に取り付けた防犯灯の蛍光灯などを、ワンタッチ着脱型防犯灯取付具のフックをポール状の治具で吊り下げることにより、梯子や高所作業用の装置を使わず取付け・取外し作業ができるような技術が考案されている。（特許文献２）しかし、本技術は、地上よりポール状の長尺治具を使用するため、ワンタッチ着脱型防犯灯取付具の吊り下げ部の視認性が悪く、交換作業が非常に困難である。
【特許文献１】特開２００２−１９９５６２号公報
【特許文献２】実願平５−７６４４２号公報
【発明の開示】
【発明が解決しようとする課題】
【０００５】
本発明は、作業者が電柱に登らずに防犯灯器具のような電柱設置器具の交換や清掃を可能とする電柱設置器具昇降装置の提供を目的とする。
【課題を解決するための手段】
【０００６】
以上の目的を達成するために、本発明は、以下のような電柱設置器具昇降装置を提供する。
【０００７】
本発明に係る電柱設置器具昇降装置は、電柱のスライド用レールに載せる防犯灯器具のような電柱設置器具のスライドを可能にするレールと、前記レールをこれが上下方向に伸びるように電柱に固定する固定手段と、スライド部材を吊り下げる吊下ワイヤーと、前記レールの一端に取り付けられ前記吊下ワイヤーを巻き取る巻取ドラムと、前記吊下ワイヤーに取り付けられ、前記防犯灯器具のような電柱設置器具を取り替え可能に保持した状態で、前記レールに沿ってスライドし、前記防犯灯器具のような電柱設置器具の首振り機構を有するスライド部材と、前記防犯灯器具のような電柱設置器具を昇降させる吊下用ワイヤーと、前記吊下用ワイヤーを巻き取る吊下ワイヤー用巻取ドラムと、前記吊下ワイヤー用巻取ドラムを操作するハンドルと、を備える。
【０００８】
前記レールは既存の電柱に取り付け可能な取付バンドを有してもよいし、前記巻取ドラムは巻取機器としての機能を有するようにしてもよいし、前記ハンドルは着脱機能を有するようにしてもよい。
【０００９】
前記吊下ワイヤーは、スライド部材に設置する前記防犯灯器具のような電柱設置器具が電源を必要とする場合は、電源を内蔵する機能を有してもよい。
【００１０】
本発明に係る別の電柱設置器具昇降装置は、電柱のスライド用レールに載せる防犯灯器具のような電柱設置器具のスライドを可能にする固定レールと、前記固定レールをこれが上下方向に伸びるように電柱に固定する取付バンドと、前記固定レールの下部に着脱可能に設置される着脱レールと、前記吊下ワイヤーと、前記固定レール及び前記着脱レールに沿ってスライドし、前記防犯灯器具のような電柱設置器具の首振り機構を有するスライド部材と、前記吊下ワイヤーを巻き取る巻取ドラムと、前記防犯灯器具のような電柱設置器具を昇降させる吊下用ワイヤーと、前記吊下用ワイヤーを巻き取る吊下ワイヤー用巻取ドラムと、前記吊下ワイヤー用巻取ドラムを操作するハンドルと、を備えることを特徴とする。
【００１１】
本発明によれば、電柱設置器具昇降装置は、レールを電柱に固定する取付バンドを有しているので、電柱設置器具昇降装置を既存の電柱に設置することが可能である。これにより、作業者は電柱に登らずに防犯灯器具のような電柱設置器具の交換や清掃をすることが可能となる。
【００１２】
また、前記レールは既存の電柱に取り付け可能な取付バンドを有するので、アンカーボルトが電柱本体の側面に設置されたアンカーボルト付電柱に、取り外し可能に取り付けることができる。レールがボルトにより電柱と着脱可能となり、電柱に設置された防犯灯器具のような電柱設置器具以外の設置物の保守時のレールとの干渉が回避可能となる。
【００１３】
別の本発明によれば、着脱レールを備えているので、防犯灯器具のような電柱設置器具の交換や清掃作業時のみに着脱レールを設置すればよく、電柱の周辺の他作業と電柱設置器具昇降装置の干渉が回避可能となる。
【発明の効果】
【００１４】
本発明によれば、電柱に設置された防犯灯器具のような電柱設置器具を登らずに交換や清掃ができ、交換や清掃は電気工事を行える有資格者による作業の必要がなく、一般の人による交換が可能となる。
【発明を実施するための最良の形態】
【００１５】
以下、本発明の実施形態について図面を参照して詳細に説明する。なお、同一要素については、同一符号を付して、その説明を省略する。
図１は、本発明に係る既存の電柱に設置可能な、電柱設置器具昇降装置の実施形態を示す斜視図である。
図２は、本発明の図１に示す取付バンドの詳細図である。
図３は、図１で記載を省略している防犯灯器具のような電柱設置器具の例としての防犯灯器具の斜視図と首振り機構部の断面図である。
図４は、レールがボルトにより着脱可能となる電柱設置器具昇降装置の実施形態を示す斜視図である。
図５は、図４に示すレール取付金具とアンカーボルトの詳細図である。
図６は、レールが吊下方式により、下部レールを通常時取り外せる電柱設置器具昇降装置の実施形態を示す斜視図である。
図７は、図６に示す着脱レールを固定レールに吊り下げるフックの詳細図である。
【００１６】
図１から図３を参照するに、電柱設置器具昇降装置１は、レール１０と複数の取付バンド１１と吊下ワイヤー１２と巻取ドラム１３とスライド部材２０と吊下用ワイヤー１４と吊下ワイヤー用巻取ドラム１５とハンドル１６とを備える。スライド部材２０は、本実施形態では防犯灯器具のような電柱設置器具の例として取り外し可能に防犯灯器具Ｚを支持している。防犯灯器具Ｚには、電柱Ａに取り付けられる防犯灯として蛍光灯等が設置されている。
【００１７】
図１に示すように、レール１０は、スライド部材２０をスライド可能にかつ上下方向に案内するように、電柱Ａに備えられている。レール１０は、一端が後述する防犯灯器具Ｚが設置される位置に、他端が作業者の手の届く位置に配置されるような長さを有する。レール１０は、２本の鋼製みぞ形鋼１０ａ、１０ａと複数の繋ぎ部材１０ｃを有する。鋼製みぞ形鋼１０ａ、１０ａは、これらの凹部１０ｂが互いに内側に向け、かつ、それぞれが電柱Ａの伸びる方向と平行になるように、繋ぎ部材１０ｃに固定されている。鋼製みぞ形鋼１０ａ、１０ａは、繋ぎ部材１０ｃの両端が鋼製みぞ形鋼１０ａ、１０ａの外側に位置するように、繋ぎ部材１０ｃに固定されている。
【００１８】
複数の繋ぎ部材１０ｃは、鋼製みぞ形鋼１０ａ、１０ａの両端の位置及びこの両端の間に所定の間隔をおいた位置に配置されている。したがって、レール１０は、梯子のような形状を有する。繋ぎ部材１０ｃの両端には、後述する取付バンドと係止するための取付穴１０ｄが形成されている。鋼製みぞ形鋼１０ａ、１０ａに接続される部材等の荷重による応力に充分耐え得る厚さを持つ鋼製の板状部材であることが好ましい。
【００１９】
電柱設置器具昇降装置１は、レール１０を電柱Ａに固定するための複数の取付バンド１１を備える。複数の取付バンド１１は、それぞれ、複数の繋ぎ部材１０ｃに対応している。
【００２０】
図２に示すように、取付バンド１１は、２つの帯状のバンド部材１１ａとこれらの一端部１１ｃを接続する接続部材１１ｄとを有する。
【００２１】
バンド部材１１ａは、電柱Ａの円筒側面を取り巻くように、湾曲している本体部と、接続部材１１ｄを係止させる貫通孔が形成されている一端部１１ｃと、繋ぎ部材１０ｃに係止するための取付穴１１ｂが形成されている他端部とを有する。
【００２２】
バンド部材１１ａの一端部１１ｃは、電柱Ａの半径方向とほぼ並行になるように伸びる板部であり、本体部の端部に一体的に形成されている。さらに、一方の一端部１１ｃと他方の一端部１１ｃとは互いに隙間ｄをおいて位置している。
【００２３】
接続部材１１ｄは、ナット１１ｅとこれに螺合するボルト１１ｆとを有する。ボルト１１ｆは、一方の一端部１１ｃに形成された貫通孔と他方の一端部１１ｃに形成された貫通孔とを貫いてナット１１ｅに螺合している。
【００２４】
一方及び他方のバンド部材１１ａの他端部に形成された取付穴１１ｂは、それぞれ、継ぎ部材１０ｃの一端及び他端に形成された取付穴１０ｄに、係合手段を介して取り付けられている。係合手段は、例えば、両端にレール１０に接続される防犯灯器具Ｚの荷重に充分耐えることができるボルト１０ｆとナット１０ｅで構成される。したがって、ナット１０ｅが締め付けられることにより、隙間ｄが小さくなるので、取付バンド１１ひいてはレール１０は電柱Ａに確実に取り付けられる。よって、取付バンド１１は、固定手段として作用する。
【００２５】
図１に示すように、巻取ドラム１３は、レール１０の上部に取り付けられている。巻取ドラム１３は、吊下ワイヤー１２を巻き取るためのドラム本体を備えている。吊下ワイヤー１２は、レール１０の全長より長く、巻取ドラム１３のドラム本体に吊下ワイヤー１２の一端から巻き取られている。
【００２６】
図３（ａ）に示すように、吊下ワイヤー１２の他端は、防犯灯器具Ｚが取り付けられているスライド部材２０の保持部材２０ｃに一体的に取り付けられている。巻取ドラム１３は、常に、防犯灯器具Ｚ及びスライド部材２０を巻き上げることができる程度の回転力を巻取ドラム本体に作用させる巻取機構を備えている。具体的には、巻取ドラム１３は、レール１０の内側上部に設置され、回転自在で吊下ワイヤー１２を巻き付けて収納するコードリールと、コードリールの回転中心に配される回転軸と、吊下ワイヤー１２を巻き取る方向に付勢するゼンマイバネとを備え、巻き取り機構を有し、吊下ワイヤー１２の巻き取りを可能とする。
【００２７】
防犯灯器具Ｚには、蛍光灯のような公知の防犯灯が設置されている。
【００２８】
吊下用ワイヤー１４は、ワイヤー本体１４ａと、スライド部材２０ひいては防犯灯器具Ｚを昇降させることができるよう、ワイヤー本体１４ａの一端に形成され、スライド部材２０の下部に形成されたフック２０ｄに取り外し可能に掛けられる係止部１４ｂとを有する。吊下用ワイヤー１４ｄの下端は、後述する吊下ワイヤー用巻取ドラム１５のドラム本体１５ａに接続され、ドラム本体１５ａの回転により、防犯灯器具Ｚを昇降可能にしている。
【００２９】
スライド部材２０は、両端が凹部１０ｂに案内されるように張り出している板状部材２０ｂと、吊下ワイヤー１２の他端を堅固に保持する保持部材２０ｃと、フック２０ｄを堅固に保持する保持部材２０ａとを有する。スライド部材２０の内部には、吊下ワイヤー１２からの電源を防犯灯器具Ｚに供給可能とする、公知の電源供給用の配線（図示せず）が設置されている。なお、吊下ワイヤーは、電源コードを内蔵するワイヤーの使用が好ましい。本実施形態では、保持部材２０ｃは防犯灯器具Ｚを取り外し可能に保持している。スライド部材２０の一部の部材であればかまわず、例えば、防犯灯器具Ｚを板状部材２０ｂに取り外し可能に保持させてもよい。このようにして、スライド部材２０を引き上げるワイヤーとして電源コードを内蔵する吊下ワイヤー１２を用いることにより、防犯灯器具Ｚへの電源供給と防犯灯器具Ｚの吊り下げとを可能とする。
【００３０】
図３（ｂ）に示すように、保持部材２０ｃは、後述する六角穴付止めねじ２０ｅをねじ込むことにより保持部材２０ｃの上下方向の移動と回転を止めるための溝部２０ｇを有する。また、溝部２０ｇは、六角穴付止めねじ２０ｅのねじ部径寸法と同じ溝幅寸法を有する溝幅ｈを備える。
【００３１】
スライド部材２０の保持部材２０ｃを保持する半円筒形のスライド部材円筒部２０ｈは、スライド部材円筒部２０ｈの円筒中心方向へ貫通するように形成されたねじ穴２０ｆを有する。
【００３２】
六角穴付止めねじ２０ｅは、金属製の部材で保持部材２０ｃに加わる吊下げ荷重で発生する応力に充分耐え得るねじ部有効径を有することが好ましい。
【００３３】
スライド部材円筒部２０ｈと保持部材２０ｃは、保持部材２０ｃの溝部２０ｇの位置で六角穴付止めねじ２０ｅをねじ穴２０ｆにねじ込み、六角穴付止めねじ２０ｅ先端を溝部２０ｇに食い込ませることにより固定させる。また、防犯灯器具Ｚは、六角穴付止めねじ２０ｅを緩めれば、首振りが可能となり、防犯灯器具Ｚの取り付け角度の調整が可能となる。
【００３４】
図１に示すように、ワイヤー本体１４ａは、レール１０の長さより長く、この他端は、レール１０の下端近傍に設けられた吊下ワイヤー用巻取ドラム１５のドラム本体１５ａに巻かれている。
【００３５】
吊下ワイヤー用巻取ドラム１５は、円筒状のドラム本体１５ａと、ドラム本体１５ａの両端のフランジ１５ｂと、ドラム本体１５ａの中心に設置された回転軸１５ｃとを備える。吊下ワイヤー用巻取ドラム１５には、巻き取り操作作業時以外は取り外し可能とする、回転軸１５ｃを回転させるハンドル１６が取り外し可能に組み付けられている。吊下ワイヤー用巻取ドラム１５は、レール１０の内側で、かつ、地上に人が立った状態でハンドル１６が容易に操作可能な位置に設置される。
【００３６】
ハンドル１６は、吊下ワイヤー用巻取ドラム１５の回転軸１５ｃ片側先端に接続され、吊下用ワイヤー１４の巻き取り操作を可能とする。
【００３７】
以上の構成により、電柱設置器具昇降装置１は、防犯灯器具Ｚを高所から地上に降下させることができ、作業者が電柱Ａに登らずに防犯灯器具Ｚの蛍光灯の交換が可能となる。
【００３８】
また、電柱Ａを挟み込む状態で締め付けることができる取付バンド１１を備え、既存の電柱に電柱設置器具昇降装置１を設置することが可能となる。
【００３９】
図４及び図５を参照するに、電柱設置器具昇降装置２は、電柱設置器具昇降装置１の取付バンド１１の代わりに、繋ぎ部材１０ｃの取付穴１０ｄに通されたボルト２１を備える。また、電柱設置器具昇降装置２が取り付けられる電柱Ａ’は、電柱の新規製作時に予め、アンカーボルト２２が埋設されている。
【００４０】
これにより、電柱設置器具昇降装置２は、ボルト２１を介してレール１０の取付、取外しが可能となり、電柱Ａ’に設置された防犯灯器具Ｚ以外の設置物の保守時のレール１０との干渉が回避可能となる。
【００４１】
図６及び図７を参照するに、電柱設置器具昇降装置３は、固定レール３０と、複数の取付バンド１１と、着脱レール４０と、スライド部材２０と、吊下ワイヤー１２と、巻取ドラム１３と、吊下用ワイヤー１４と、吊下ワイヤー用巻取ドラム１５と、ハンドル１６とを備える。
【００４２】
図６に示すように、巻取ドラム１３は、固定レール３０の上部に設置されている。吊下ワイヤー用巻取ドラム１５は、着脱レール４０の下部に設置されている。取付バンド１１は、固定レール３０を電柱Ａに固定させるために、電柱Ａの円周周りに配置されている。
【００４３】
固定レール３０及び着脱レール４０は、協働して、電柱設置器具昇降装置１又は２のレール１０と同様の作用効果を奏するよう、固定レール３０は、防犯灯器具Ｚを保持したスライド部材２０をスライド可能にかつ上下方向に案内するように電柱Ａに備えられ、また、着脱レール４０は、スライド部材２０をスライド可能にかつ上下方向に案内するように、固定レール３０の下側に着脱可能に配置される。固定レール３０及び着脱レール４０は、それぞれ、固定レール３０の一端が防犯灯器具Ｚが設置される位置に、及び、着脱レール４０の他端が作業者の手の届く位置に配置されるような長さを有する。固定レール３０及び着脱レール４０は、それぞれ、２本の鋼製みぞ形鋼３１，３１及び４１，４１を有する。
【００４４】
２本の鋼製みぞ形鋼３１，３１は、互いに平行に伸びるように、複数の繋ぎ部材１０ｃにより、固定されている。２本の鋼製みぞ形鋼４１，４１は、互いに平行に伸びるように、複数の繋ぎ部材４１ａにより、固定されている。
【００４５】
図７に示すように、固定レール３０の鋼製みぞ形鋼３１の下部には、フック用金具３２が形成されている。
【００４６】
鋼製みぞ形鋼４１の上端には、固定レール３０のフック用金具３２に係止可能なフック４２が形成されている。フック４２には、フック用金具３２に係止可能なスロット部４３が形成されている。したがって、スロット部４３にフック用金具３２を引っ掛けることにより、着脱レール４０を固定レール３０に吊り下げることができる。着脱レール４０を吊り下げることにより、固定レール３０と着脱レール４０がつながり、防犯灯器具Ｚは固定レール３０から下部に位置する着脱レール４０へ導かれる。
【００４７】
以上本発明の実施形態を説明したが、本実施形態では、防犯灯器具のような電柱設置器具の具体例として防犯灯を例示したに過ぎず、防犯灯器具のような電柱設置器具の例としては他にカーブミラーと標識がある。よって、本実施形態では、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００４８】
【図１】本発明の既存の電柱に設置可能な、電柱設置器具昇降装置の実施形態を示す斜視図を示す図である。
【図２】本発明の図１に示す取付バンドの詳細図を示す図である。
【図３】本発明の図１で記載を省略している防犯灯器具の斜視図と首振り機構部の断面図を示す図である。
【図４】本発明のレールがボルトにより着脱可能となる電柱設置器具昇降装置の実施形態を示す斜視図を示す図である。
【図５】本発明の図３に示すレール取付金具とアンカーボルトの詳細図を示す図である。
【図６】本発明のレールが吊り下げ式により、下部レールを通常時取り外せる電柱設置器具昇降装置の実施形態を示す斜視図である。
【図７】本発明の図５に示す着脱レールを固定レールに吊り下げるフックの詳細図を示す図である。
【図８】従来技術を説明する、透視側面図の図である。
【図９】従来技術を説明する、斜視図の図である。
【符号の説明】
【００４９】
１、２、３  電柱設置器具昇降装置
１０  レール
１２  吊下ワイヤー
１３  巻取ドラム
１４  吊下用ワイヤー
１５  吊下ワイヤー用巻取ドラム
１６  ハンドル１６
２０  スライド部材
【図１】
2009043681.tif 000003
【図２】
2009043681.tif 000004
【図３】
2009043681.tif 000005
【図４】
2009043681.tif 000006
【図５】
2009043681.tif 000007
【図６】
2009043681.tif 000008
【図７】
2009043681.tif 000009
【図８】
2009043681.tif 000010
【図９】
2009043681.tif 000011